(57)【要約】【課題】マッサージ機による最適なマッサージコースを使用者に施すこと、あるいはマッサージ機のインストラクションに従って使用者自身の手により最適なマッサージを実施することを課題とする。【解決手段】本発明のマッサージ機は、マッサージ部とマッサージ部を制御する制御部と使用者の身体部位を撮像する撮像手段と撮像手段により撮像された身体部位のイメージを格納する記憶部と撮像手段により撮像された身体部位を表示する表示部とを備える。一実施形態において記憶部は撮像された身体部位のイメージを補正する補正基準を記憶し、目標とする身体部位のイメージを生成する目標イメージ生成手段を備え、表示部は目標とする身体部位のイメージを表示し、記憶部には、予め標準化された各身体部位に対する症状又は状態並びに複数のマッサージコースの情報が記憶されている。【選択図】図１
2018149096.tif 000002
【特許請求の範囲】
【請求項１】
使用者に対してマッサージを行うマッサージ部と、
前記マッサージ部を制御する制御部と、
使用者の身体部位を撮像する撮像手段と、
前記撮像手段により撮像された身体部位のイメージを記憶する記憶部と、
前記撮像手段により撮像された身体部位のイメージを表示する表示部と、を備えるマッサージ機。
【請求項２】
前記記憶部は撮像された身体部位のイメージを補正する補正基準を記憶し、
撮像された身体部位のイメージを前記補正基準に基づいて補正し、目標とする身体部位のイメージを生成する目標イメージ生成手段をさらに備え、
前記表示部は、前記目標とする身体部位のイメージを表示し、
前記記憶部には、予め標準化された各身体部位に対する症状又は状態並びに複数のマッサージコースの情報が記憶されており、
前記情報は、前記標準化された身体部位とその症状又は状態と所定の１又は複数のマッサージコースを組み合わせた情報であり、
前記撮像された各身体部位のイメージと前記情報とを比較して、使用者の身体の症状又は状態を特定する望診手段をさらに備え、
前記制御部は、前記望診手段による望診結果から１又は複数のマッサージコースを特定し、
前記表示部は、特定された１又は複数のマッサージコースを、表示することによって使用者に対して推奨し、
前記表示部は表示された前記マッサージコースの中から一つを選択する選択手段を備え、
推奨されたマッサージコースから使用者が前記選択手段により選択し又は前記制御部が機械的に選択したマッサージコースについて、以下の（ａ）又は（ｂ）の操作を行うことからなる請求項１に記載のマッサージ機。
（ａ）前記制御部が選択されたマッサージコースを前記マッサージ部に送信し、前記マッサージ部が使用者にマッサージを行う。
（ｂ）使用者の前記身体部位に対してマッサージすべきインストラクションを出すマッサージ指導手段をさらに備え、
前記マッサージ指導手段が出す前記インストラクションに基づいて使用者自身がマッサージを行う。
【請求項３】
前記身体部位が顔である請求項２に記載のマッサージ機。
【請求項４】
前記撮像手段により使用者の顔をマッサージ前に撮像し、前記記憶部に記憶し、使用者がマッサージ後、使用者の顔を前記撮像手段により撮像し、前記制御部が、前記マッサージ後の使用者の顔を前記表示部に表示するとともに、マッサージ前の顔を前記記憶部から呼び出し前記表示部でマッサージ前後の顔を比較する請求項１乃至３のいずれかに記載のマッサージ機。
【請求項５】
前記撮像手段は前記身体部位として使用者の顔、手、爪又は舌を撮像し、
前記記憶部は撮像された使用者の顔、手、爪又は舌のイメージを記憶し、
前記記憶部には予め標準化された各身体部位に対する症状又は状態並びにマッサージコースの情報が記憶されており、
前記情報は、前記標準化された身体部位とその症状又は状態と所定の１又は複数のマッサージコースを組み合わせた情報であり、
撮像された各身体部位のイメージと前記情報とを比較して、使用者の身体の症状又は状態を特定する望診手段をさらに備えた請求項１に記載のマッサージ機。
【請求項６】
前記制御部は、前記望診手段による望診結果からマッサージコースを特定し、又は使用者に対して推奨し、機械的選択又は使用者の選択により特定されたマッサージコースに基づいてマッサージ部が使用者にマッサージを施す請求項５に記載のマッサージ機。  
【請求項７】
使用者の身体症状に対する質問項目を前記表示部に表示する質問手段と、
前記表示手段により表示された質問項目に対して回答する回答手段と、
前記回答手段で回答した回答内容に対応する問診結果を前記表示部に表示する問診手段と、を備える請求項１乃至６のいずれかに記載のマッサージ機。
【請求項８】
予め標準化された各身体部位に対する症状又は状態並びにマッサージコースの情報が記憶されている記憶部と、
前記問診手段による問診結果と前記情報とを比較して、使用者の身体の部位の状態を検索する検索手段を備え、
前記問診結果により前記検索手段が前記各身体部位に対する症状又は状態並びにマッサージコースの情報のいずれの身体部位の症状又は状態に該当するか特定し、
前記情報は、前記標準化された身体部位とその症状又は状態と所定の１又は複数のマッサージコースからなり、
特定された身体部位の症状又は状態に対応するマッサージコースを特定し、使用者の選択又は機械的選択により特定されたマッサージコースに基づいてマッサージ部が使用者にマッサージを施す、請求項７に記載のマッサージ機。
【請求項９】
血圧、体重及び脈拍のうち少なくとも一つを測定することができる装置を備え、当該装置によって測定された使用者の測定データが前記記憶部に記憶される請求項１乃至８のいずれかに記載のマッサージ機。
【請求項１０】
操作部と表示部とを含む操作装置をさらに備える、請求項１乃至９のいずれかに記載のマッサージ機。
【請求項１１】
ネットワークを介して通信する通信部を備える請求項１乃至１０のいずれかに記載のマッサージ機。
【請求項１２】
スマートフォン、タブレット型通信装置からなる群から選択される外部端末を備え、
ネットワークを介して接続されることを特徴とする請求項１乃至１１のいずれかに記載のマッサージ機。
【請求項１３】
前記操作装置が、音声入力発生装置をさらに備える請求項１０に記載のマッサージ機。
【請求項１４】
使用者の顔を撮像する撮像手段と、
撮像された前記使用者の顔のイメージを記憶する記憶部と、
撮像された前記顔のイメージを処理する制御部と、
処理された前記顔のイメージを複数表示する表示部と、
使用者にインストラクションを出すメイク指導手段と、を備え、
前記表示部は複数のメイクコースの中から一つを選択する選択手段を備え、
前記記憶部には、予め複数のメイクコースと複数のインストラクションが互いに対応付けされて記憶されており、
この後次の（ａ）又は（ｂ）の操作を行うことからなるマッサージ機。
（ａ）制御部が撮像された前記顔のイメージに基づいてメイクコースを行った場合の使用者の顔のイメージを複数作成し、表示部に表示し、使用者は前記表示部に表示された前記作成された顔のイメージに対応する前記複数のメイクコースの中から好適なメイクコースを前記表示部の選択手段によって選択し、選択された前記好適なメイクコースを前記メイク指導手段が出したインストラクションに基づいて使用者自身がメイクを行う。
（ｂ）制御部が撮像された前記使用者の顔のイメージから目標とするイメージを作成し、作成された目標とするイメージに基づいてメイクコースを行った場合の使用者の顔のイメージを複数作成し、表示部に表示する。使用者は前記表示部に表示された前記作成された顔のイメージに対応する前記複数のメイクコースの中から好適なメイクコースを前記表示部の選択手段によって選択し、選択された前記好適なメイクコースを前記メイク指導手段が出したインストラクションに基づいて使用者自身がメイクを行う。
【請求項１５】
ネットワークを介して外部端末と通信可能な通信部をさらに備え、前記撮像手段は、前記マッサージ部の方向の視野と、当該マッサージ部と反対の方向の視野とを撮像できるように前記マッサージ部に設けられ、
前記マッサージ機は、マッサージモードとセキュリティモードとを有し、前記マッサージモードにおいて、前記撮像手段は、前記マッサージ部の方向の視野に位置する使用者の身体部位を撮像し、前記表示部が前記撮像された身体部位を表示し、且つ、前記制御部は前記マッサージ部を制御し、
前記セキュリティモードにおいて、前記撮像手段は、マッサージ部と反対の方向の視野を撮像し、且つ、前記制御部は、前記撮像されたイメージを前記通信部によって前記外部端末に送信する、請求項１乃至１３のいずれかに記載のマッサージ機。
【請求項１６】
前記撮像手段は、前記マッサージ部の方向と、当該マッサージ部と反対の方向とを向くよう回動することが可能なように前記マッサージ部に設けられている、請求項１５に記載のマッサージ機。
【請求項１７】
前記撮像手段がＣＣＤ（固体撮像素子）カメラである請求項１乃至１６のいずれかに記載のマッサージ機。
【請求項１８】
前記撮像手段がデジタルカメラである請求項１乃至１６のいずれかに記載のマッサージ機。
【発明の詳細な説明】
【技術分野】
【０００１】
本発明は、マッサージ機に関する。より詳しくは、撮像手段により得られた使用者の身体部位のイメージから使用者に適したマッサージコースを選択することができるマッサージ機に関する。
【背景技術】
【０００２】
マッサージ機は、東洋医学に基づいた家庭用治療器である。マッサージ機の効果は、首のこり、肩こり、腰痛等の緩和等が認められている。一般にマッサージ機は使用者が自己の身体状態、例えば疲労具合等からマッサージ機に予め記録されたマッサージコースを使用者が選択することで、マッサージ部が使用者にマッサージを施す。しかしながら、使用者が東洋医学の知識を有したうえでマッサージ機を使用しているとは限らないので、使用者が選択したマッサージコースが必ずしも使用者の疲労を効果的に解消するとは限らない。
【０００３】
例えば特許文献１に開示されているマッサージ機は、被施療者を含む撮像画像の画像処理にかかる負荷を軽減し、撮像画像から被施療者に係る情報を効率よく取得してマッサージの動作制御に実用的なレベルで利用でき、被施療者による手動操作の手間を軽減して使い勝手を向上させられるマッサージ機を提供することを課題とする。
【０００４】
特許文献１に開示されているマッサージ機は、かかる課題を解決するためにマッサージ機本体側部に、位置センサが設けられたスタンドが配置され、該スタンドに、撮像手段と入力手段と表示手段とを備えたリモコンが設置可能に構成され、識別処理手段、状態判断手段、コース選定手段及びマッサージ実行手段を備えた制御部を具備している。
【０００５】
特許文献１のマッサージ機は、目標とする身体部位のイメージを有するように構成されていないので、使用者の現在の身体部位と目標とする身体部位のイメージとを比較することができない。
【０００６】
特許文献２に開示されているマッサージ機は、画像データによって被施療者の患部の位置や大きさを特定し、マッサージ手段を制御して、効果の高いマッサージを施すことができるマッサージ機を提供することを課題とする。
【０００７】
特許文献２に開示されているマッサージ機は、かかる課題を解決するために患部支持部と、被施療者の患部をマッサージするマッサージ手段と、患部支持部の画像を撮影する撮像手段と、撮像手段にて撮影された画像データに基づいてマッサージ手段の動作を制御する制御手段とを具備しており、撮像手段としては、ＣＣＤカメラを用いて被施療者の肩位置を特定することが開示されている。
【０００８】
特許文献２には、マッサージ機が撮像手段により撮像された画像データから被施療者の患部の位置、輪郭、形状等を特定し、特定された患部の位置情報等に基づいてマッサージ手段の動作を制御し、被施療者がマッサージ中に姿勢や座り方を変えても正確な患部位置にマッサージを施すことができることが開示されている。そのため、撮像されたデータを被施療者に表示して操作をさせることを必要としないので該マッサージ機は表示装置を有していない。従って、マッサージコースを提示することも使用者の身体部位の画像を被施療者に表示することもできない。
【０００９】
特許文献３に開示されている健康度測定システムは、体の部位の情報に基づく総合的な健康度の判定を容易で客観的に行える健康度測定技術を提供することを課題とする。
【００１０】
特許文献３には、かかる課題を解決するために舌、顔、瞳を撮像する撮像手段と、舌、顔、瞳に関するｎ種類の特徴量を計測する計測手段と、前記ｎ種類の特徴量を入力情報として所定の処理を行い、１種類の出力情報を生成する処理手段とを具備している健康度測定システムが開示されている。
【００１１】
特許文献３には、舌、顔、瞳の状態から受診者の健康度を測定するシステムを開示しているが、舌、顔、瞳の状態から得られた健康度に応じたマッサージを受診者に施す点についての開示はない。従って、マッサージ部を有していないので、受診者にマッサージを施すことができない。
【００１２】
特許文献４には、一般人でも容易に行うことのできる手技を施術することにより、頬下部のたるみを改善し、口角を引き上げやすくし、様々な表情を取りやすくすること、さらに、このような美容方法の施術効果を客観的に評価できるようにすることを課題とする。
【００１３】
特許文献４には、人が行う施術前後においてカメラで顔画像を撮影し、施術前後を比較して改善効果が客観的に評価できるようにすることを開示している。
【００１４】
特許文献４には、美容方法の施術の前後に、顎載せ台に顎を載せている被施術者の正面顔画像を撮り、施術後の画像において、顎の先端近傍から水平方向へ、顎が顎載せ台に接触している部分よりも外側で、かつ、フェイスラインの水平方向上の最大突出部より内側に存在する位置Ｐから顔のフェイスラインに接線を引いて接点をＱとし、水平線と直線ＰＱとがなす角度をθとし、施術前の画像においても位置Ｐより前記同一の角度θの直線を引き、フェイスラインとの交点をＲとし、ＰＱとＰＲの長さの違いを提示する、頬下のフェイスラインのたるみ改善効果の提示方法が開示されている。しかし、被施術者に評価に応じたマッサージを指導する点についての開示はない。従って、改善効果の評価に応じたマッサージを施術者に指導することはできない。
【００１５】
特許文献５には、比較的簡単な方法でマッサージの効果に対する客観的な評価を行うことが可能なマッサージ評価方法及び装置、並びにプログラム及びコンピュータ読み取り可能な記憶媒体を提供することを課題とする。
【００１６】
特許文献５には、頭皮へのマッサージ施術前後においてカメラで顔画像を撮影し、頭皮へのマッサージ施術前後の顔を比較して顔の物理的性質の変化に基づくマッサージの効果が得られることが開示されている。
【００１７】
術
特許文献５には、マッサージ施術前後の顔を撮像する撮像手段と、前記マッサージ施術前後に前記撮像手段により撮像された像を比較する比較手段と、前記比較手段での比較結果からマッサージ施術前後の顔の物理的性質の変化に基づきマッサージ師が行った（使用者ではない）マッサージの効果を評価する評価手段を具備するマッサージの評価装置が開示されている。撮像手段としては、ＣＣＤカメラや赤外線カメラを用いることが開示されている。しかし、顔の物理的性質の変化に基づいた評価に応じたマッサージを施術者に指導する点についての開示はない。従って、マッサージ効果の評価に応じたマッサージを施術者に指導することはできない。
【先行技術文献】
【特許文献】
【００１８】
【特許文献１】特許第５１８８３１８号公報
【特許文献２】特開２００６−２６３０３９号公報
【特許文献３】特許第４４８７５３５号公報
【特許文献４】特開２００８−２９５７３号公報
【特許文献５】ＰＣＴ／ＪＰ２０１１／０７８４７６
【発明の概要】
【発明が解決しようとする課題】
【００１９】
本発明は、前述の特許文献１〜５の欠点を解消し、撮像手段により撮像された使用者の施術前の身体部位のイメージと、目標とすべき身体部位のイメージを表示部に表示して比較し、比較した結果からマッサージ機による最適なマッサージコースを使用者が選択又は機械的選択により選択し、選択されたマッサージを使用者に施すこと、あるいはマッサージ機による機械的なマッサージに加え、使用者自身の手により最適なマッサージを表示部に表示されたインストラクションに従って実施することを課題とする。
【課題を解決するための手段】
【００２０】
請求項１に係る発明は、使用者に対してマッサージを行うマッサージ部と、前記マッサージ部を制御する制御部と、使用者の身体部位を撮像する撮像手段と、前記撮像手段により撮像された身体部位のイメージを記憶する記憶部と、前記撮像手段により撮像された身体部位を表示する表示部と、を備えるマッサージ機に関する。
【００２１】
請求項２に係る発明は、前記記憶部は撮像された身体部位のイメージを補正する補正基準を記憶し、撮像された身体部位のイメージを前記補正基準に基づいて補正し、目標とする身体部位のイメージを生成する目標イメージ生成手段をさらに備え、前記表示部は、前記目標とする身体部位のイメージを表示し、前記記憶部には、予め標準化された各身体部位に対する症状又は状態並びに複数のマッサージコースの情報が記憶されており、前記情報は、前記標準化された身体部位とその症状又は状態と所定の１又は複数のマッサージコースを組み合わせた情報であり、前記撮像された各身体部位のイメージと前記情報とを比較して、使用者の身体の症状又は状態を特定する望診手段をさらに備え、前記制御部は、前記望診手段による望診結果から１又は複数のマッサージコースを特定し、前記表示部は、特定された１又は複数のマッサージコースを、表示することによって使用者に対して推奨し、前記表示部は表示された前記マッサージコースの中から一つを選択する選択手段を備え、推奨されたマッサージコースから使用者が前記選択手段により選択し又は前記制御部が機械的に選択したマッサージコースについて、以下の（ａ）又は（ｂ）の操作を行うことからなる請求項１に記載のマッサージ機。
（ａ）前記制御部が選択されたマッサージコースを前記マッサージ部に送信し、前記マッサージ部が使用者にマッサージを行う。
（ｂ）使用者の前記身体部位に対してマッサージすべきインストラクションを出すマッサージ指導手段をさらに備え、
前記マッサージ指導手段が出す前記インストラクションに基づいて使用者自身がマッサージを行う。
【００２２】
請求項３に係る発明は、前記身体部位が顔である請求項２に記載のマッサージ機に関する。
【００２３】
請求項４に係る発明は、前記撮像手段により使用者の顔をマッサージ前に撮像し、前記記憶部に記憶し、使用者がマッサージ後、使用者の顔を前記撮像手段により撮像し、前記制御部が、前記マッサージ後の使用者の顔を前記表示部で表示するとともに、マッサージ前の顔を前記記憶部から呼び出し前記表示部でマッサージ前後の顔を比較する請求項１乃至３のいずれかに記載のマッサージ機に関する。
【００２４】
請求項５に係る発明は、前記撮像手段は前記身体部位として使用者の顔、手、爪又は舌を撮像し、前記記憶部は撮像された使用者の顔、手、爪又は舌のイメージを記憶し、前記記憶部には予め標準化された各身体部位に対する症状又は状態並びにマッサージコースの情報が記憶されており、前記情報は、前記標準化された身体部位とその症状又は状態と所定の１又は複数のマッサージコースを組み合わせた情報であり、撮像された各身体部位のイメージと前記情報とを比較して、使用者の身体の症状又は状態を特定する望診手段をさらに備えた請求項１に記載のマッサージ機に関する。
【００２５】
請求項６に係る発明は、前記制御部は、前記望診手段による望診結果からマッサージコースを特定し、又は使用者に対して推奨し、機械的選択又は使用者の選択により特定されたマッサージコースに基づいてマッサージ部が使用者にマッサージを施す請求項５に記載のマッサージ機に関する。  
【００２６】
請求項７に係る発明は、使用者の身体症状に対する質問項目を前記表示部に表示する表示手段と、前記表示手段により表示された質問項目に対して回答する回答手段と、前記回答手段で回答した回答内容に対応する問診結果を前記表示部に表示する問診手段と、を備える請求項１乃至６のいずれかに記載のマッサージ機に関する。
【００２７】
請求項８に係る発明は、予め標準化された各身体部位に対する症状又は状態並びにマッサージコースの情報が記憶されている記憶部と、前記問診手段による問診結果と前記情報とを比較して、使用者の身体の部位の状態を検索する検索手段を備え、前記問診結果により前記検索手段が前記各身体部位に対する症状又は状態並びにマッサージコースの情報のいずれの身体部位の症状又は状態に該当するか特定し、前記情報は、前記標準化された身体部位とその症状又は状態と所定の１又は複数のマッサージコースからなり、特定された身体部位の症状又は状態に対応するマッサージコースを特定し、使用者の選択又は機械的選択により特定されたマッサージコースに基づいてマッサージ部が使用者にマッサージを施す、請求項７に記載のマッサージ機に関する。
【００２８】
請求項９に係る発明は、血圧、体重及び脈拍のうち少なくとも一つを測定することができる装置を備え、当該装置によって測定された使用者の測定データが前記記憶部に記憶される請求項１乃至８のいずれかに記載のマッサージ機に関する。  
【００２９】
請求項１０に係る発明は、操作部と表示部とを含む操作装置をさらに備える請求項１乃至９のいずれかに記載のマッサージ機に関する。
【００３０】
請求項１１に係る発明は、ネットワークを介して通信する通信部を備える請求項１乃至１０のいずれかに記載のマッサージ機に関する。
【００３１】
請求項１２に係る発明は、スマートフォン、タブレット型通信装置からなる群から選択される外部端末を備え、ネットワークを介して接続されることを特徴とする請求項１乃至１１のいずれかに記載のマッサージ機に関する。
【００３２】
請求項１３に係る発明は、前記操作装置が、音声入力発生装置をさらに備える請求項１０に記載のマッサージ機に関する。
【００３３】
請求項１４に係る発明は、使用者の顔を撮像する撮像手段と、撮像された前記使用者の顔のイメージを記憶する記憶部と、撮像された前記顔のイメージを処理する制御部と、処理された前記顔のイメージを複数表示する表示部と、使用者にインストラクションを出すメイク指導手段とを備え、前記表示部は複数のメイクコースの中から一つを選択する選択手段を備え、前記記憶部には、予め複数のメイクコースと複数のインストラクションが互いに対応付けされて記憶されており、この後次の（ａ）又は（ｂ）の操作を行うことからなるマッサージ機に関する。
（ａ）制御部が撮像された前記使用者の顔のイメージに基づいてメイクコースを行った場合の使用者の顔のイメージを複数作成し、表示部に表示し、使用者は前記表示部に表示された前記作成された顔のイメージに対応する前記複数のメイクコースの中から好適なメイクコースを前記表示部の選択手段によって選択し、選択された前記好適なメイクコースを前記メイク指導手段が出したインストラクションに基づいて使用者自身がメイクを行う。
（ｂ）制御部が撮像された前記使用者の顔のイメージから目標とするイメージを作成し、作成された目標とするイメージに基づいてメイクコースを行った場合の使用者の顔のイメージを複数作成し、表示部に表示する。使用者は前記表示部に表示された前記作成された顔のイメージに対応する前記複数のメイクコースの中から好適なメイクコースを前記表示部の選択手段によって選択し、選択された前記好適なメイクコースを前記メイク指導手段が出したインストラクションに基づいて使用者自身がメイクを行う。
【００３４】
請求項１５に係る発明は、ネットワークを介して外部端末と通信可能な通信部を更に備え、前記撮像手段は、前記マッサージ部の方向の視野と、当該マッサージ部と反対の方向の視野とを撮像できるように前記マッサージ部に設けられ、前記マッサージ機は、マッサージモードとセキュリティモードとを有し、前記マッサージモードにおいて、前記撮像手段は、前記マッサージ部の方向の視野に位置する使用者の身体部位を撮像し、前記表示部が前記撮像された身体部位を表示し、且つ、前記制御部は前記マッサージ部を制御し、前記セキュリティモードにおいて、前記撮像手段は、マッサージ部と反対の方向の視野を撮像し、且つ、前記制御部は、前記撮像されたイメージを前記通信部によって前記外部端末に送信する、請求項１乃至１３のいずれかに記載のマッサージ機に関する。
【００３５】
請求項１６に係る発明は、前記撮像手段は、前記マッサージ部の方向と、当該マッサージ部と反対の方向とを向くよう回動することが可能なように前記マッサージ部に設けられている、請求項１５に記載のマッサージ機に関する。
【００３６】
請求項１７に係る発明は、前記撮像手段がＣＣＤ（固体撮像素子）カメラである請求項１乃至１６のいずれかに記載のマッサージ機に関する。
【００３７】
請求項１８に係る発明は、前記撮像手段がデジタルカメラである請求項１乃至１６のいずれかに記載のマッサージ機に関する。
【発明の効果】
【００３８】
請求項１に係るマッサージ機によれば、撮像手段により使用者の身体部位を撮像すると、撮像された身体部位のイメージが記憶部に記憶され表示部に表示される。その結果、使用者は、マッサージ前の身体部位とマッサージ後における身体部位を撮像し、撮像された身体部位のイメージを表示部に表示することによりマッサージ前後の身体部位のイメージを家庭でも容易に比較することができる。
【００３９】
請求項２に係るマッサージ機によれば、前記撮像手段により使用者の身体部位を撮像すると、撮像された身体部位のイメージが記憶部に記憶され、補正されて目標とする身体部位のイメージが生成され、この目標とする身体部位のイメージが表示部に表示される。さらに、撮像された各身体部位のイメージと、標準化された身体部位とその症状又は状態と所定の１又は複数のマッサージコースを組み合わせた情報とを比較して、使用者の身体の症状又は状態を特定する望診が行われる。その望診結果から１又は複数のマッサージコースが特定され、前記表示部が、特定された１又は複数のマッサージコースを表示することによって使用者に対して推奨し、推奨されたマッサージコースから使用者が選択し又は制御部が機械的に選択したマッサージコースについて、以下の（ａ）又は（ｂ）の操作が行われ、それに応じて以下の効果が得られる。
（ａ）制御部が選択されたマッサージコースを前記マッサージ部に送信し、マッサージ部が使用者にマッサージを行うので、使用者は、機械的選択による好適なマッサージを受けることができる。
（ｂ）マッサージ指導手段が使用者の前記身体部位に対してマッサージすべきインストラクションを出し、このインストラクションに基づいて使用者自身がマッサージを行うので、目標とすべき身体部位のイメージに近づくマッサージを好適に行え、且つ家庭でも容易に実行できる。
【００４０】
請求項３に係るマッサージ機によれば、前記身体部位が顔であるので、体調の変化が現れやすい顔を好適にケアすることができる。
【００４１】
請求項４に係るマッサージ機によれば、前記撮像手段により使用者の身体部位を撮像すると、撮像された身体部位のイメージが記憶部に記憶され表示部に表示される。前記撮像手段により使用者の顔をマッサージ前に撮像するとこれが記憶部に記憶される。使用者がマッサージ後、使用者の顔を前記撮像手段により撮像すると、制御部により、前記マッサージ後の使用者の顔が表示部に表示されるとともに、マッサージ前の顔が記憶部から呼び出され前記表示部でマッサージ前後の顔が比較される。使用者は、自動的にマッサージ前後における顔のイメージを比較でき、且つマッサージ効果を確認できる。
【００４２】
請求項５に係るマッサージ機によれば、前記撮像手段により撮像された使用者の顔、手、爪又は舌のイメージと、前記記憶部に記憶された標準化された各身体部位に対する症状又は状態並びにマッサージコースの情報とが比較されて、使用者の身体の症状又は状態が特定される望診手段が備えられている。使用者は、マッサージ機による望診を受けて身体部位の状態を判断することができる。
【００４３】
請求項６に係るマッサージ機によれば、前記制御部により前記望診手段による望診結果からマッサージコースが特定される。又は使用者に対して推奨される。前記制御部によって、機械的選択又は使用者の選択により特定されたマッサージコースの情報に基づいたマッサージが使用者に施される。使用者は、前記望診の結果から、身体部位の状態に対応した特定のマッサージコースを機械的選択又は使用者の選択により受けることができる。
【００４４】
請求項７に係るマッサージ機によれば、表示部に表示された質問項目が回答されると回答内容に対応した問診結果が表示部に表示される。使用者は、東洋医学の知識を有していなくても、前記問診を行うことにより東洋医学に基づいた効果の高いマッサージコースを選択することができる。
【００４５】
請求項８に係るマッサージ機によれば、予め標準化された各身体部位に対する症状又は状態並びにマッサージコースの情報が記憶部に記憶され、検索手段により、前記問診手段による問診結果と前記情報とが比較されて、使用者の身体部位の状態が検索され、前記問診結果により前記検索手段が前記各身体部位に対する症状又は状態並びにマッサージコースの情報のいずれの身体部位の症状又は状態に該当するか特定される。前記情報は、前記標準化された身体部位とその症状又は状態と所望のコースからなる。特定された身体部位の症状又は状態に対応するマッサージコースが特定され、使用者の選択又は機械的選択により特定されたマッサージコースに基づいてマッサージ部が使用者にマッサージを施す。その結果、マッサージ機によって問診を行い、且つ問診結果に応じて好適なマッサージを使用者に施すことができる。
【００４６】
請求項９に係るマッサージ機によれば、備え付けの装置によって、使用者の血圧、体重及び脈拍のうち少なくとも一つを測定することができる。使用者は、マッサージ前後において、血圧、体重及び脈拍のうち少なくとも一つを測定することによって、マッサージの効果を確認することができる。  
【００４７】
請求項１０に係るマッサージ機によれば、操作部と表示部とを含む操作装置をさらに備えるので、マッサージに必要な指令、データ等を入力し、且つ表示を好適に行うことができる。
【００４８】
請求項１１に係るマッサージ機によれば、ネットワークを介して通信する通信部を備えるので、マッサージ機が、ネットワークを介して、使用者のスマートフォン、タブレット型通信装置等に必要な情報を送受信することができる。
【００４９】
請求項１２に係るマッサージ機によれば、スマートフォン、タブレット型通信装置からなる群から選択される外部端末を備え、ネットワークを介して接続されるので、マッサージ機が、ネットワークを介して、使用者の外部端末に必要な情報を送受信することができる。
【００５０】
請求項１３に係るマッサージ機によれば、前記操作装置が、音声入力発生装置を備えるので、必要な音声情報を入力又は発生することができる。
【００５１】
請求項１４に係る発明は、使用者の顔を撮像する撮像手段と、撮像された前記使用者の顔のイメージを記憶する記憶部と、撮像された前記顔のイメージを処理する制御部と、処理された前記顔のイメージを複数表示する表示部と、使用者にインストラクションを出すメイク指導手段とを備え、前記表示部は複数のメイクコースの中から一つを選択する選択手段を備え、前記記憶部には、予め複数のメイクコースと複数のインストラクションが互いに対応付けされて記憶されており、以下の（ａ）又は（ｂ）の操作が行われ、それに応じて以下の効果が得られる。
（ａ）制御部が撮像された前記顔のイメージに基づいてメイクコースを行った場合の使用者の顔のイメージを複数作成し、表示部に表示し、使用者は前記表示部に表示された前記作成された顔のイメージに対応する前記複数のメイクコースの中から好適なメイクコースを前記表示部の選択手段によって選択し、選択された前記好適なメイクコースを前記メイク指導手段が出したインストラクションに基づいて使用者自身がメイクを行う。従って、使用者は、自分の顔を所望のイメージにするのに好適なメイクコースを選択することができる。しかも、そのメイクコースをインストラクションに従って好適に行うことができ、且つ、家庭でも容易に行うことができる。
（ｂ）制御部が撮像された前記使用者の顔のイメージから目標とするイメージを作成し、作成された目標とするイメージに基づいてメイクコースを行った場合の使用者の顔のイメージを複数作成し、表示部に表示する。使用者は前記表示部に表示された前記作成された顔のイメージに対応する前記複数のメイクコースの中から好適なメイクコースを前記表示部の選択手段によって選択し、選択された前記好適なメイクコースを前記メイク指導手段が出したインストラクションに基づいて使用者自身がメイクを行う。従って、使用者は、目標とする顔のイメージ、すなわち、本来の自分の顔を認識し、その上で、自分の顔を所望のイメージにするのに好適なメイクコースを選択するので、より好適に、自分の顔を所望のイメージにすることができる。しかも、そのメイクコースをインストラクションに従って好適に行うことができ、且つ、家庭でも容易に行うことができる。
【００５２】
請求項１５に係るマッサージ機によれば、ネットワークを介して外部端末と通信可能であり、前記撮像手段が、前記マッサージ部の方向の視野と、当該マッサージ部と反対の方向の視野とを撮像できるように前記マッサージ部に設けられ、前記マッサージ機は、マッサージモードとセキュリティモードとを有し、前記マッサージモードにおいて、前記撮像手段は、前記マッサージ部の方向の視野に位置する使用者の身体部位を撮像し、前記表示部が前記撮像された身体部位を表示し、且つ、前記セキュリティモードにおいて、前記撮像手段は、前記マッサージ部と反対の方向の視野を撮像し、且つ、前記制御部は、前記撮像手段によって撮像されたイメージを前記通信部によって前記外部端末に送信するので、使用者が、外部端末によって、マッサージ機が置かれた室内を監視することができる。また、留守中のペットの見守りにも利用できる。
【００５３】
請求項１６に係るマッサージ機によれば、前記撮像手段が、前記マッサージ部の方向と、当該マッサージ部と反対の方向とを向くよう回動することが可能なように前記マッサージ部に設けられているので、使用者の身体部位を撮像する撮像手段を利用して、使用者が、マッサージ機が置かれた室内を監視することができる。
【００５４】
請求項１７に係るマッサージ機によれば、前記撮像手段がＣＣＤ（固体撮像素子）カメラであるので、感度が高いという効果がある。
【００５５】
請求項１８に係るマッサージ機によれば、前記撮像手段がデジタルカメラであるので、汎用性が高く、コストを抑えることができる。
【図面の簡単な説明】
【００５６】
【図１】本発明の実施形態１に係るマッサージ機のハードウエア上の構成を示す模式図である。
【図２】本発明の実施形態１に係るマッサージ機の斜視図である。
【図３】本発明の実施形態１に係るマッサージ機における操作装置の正面図である。
【図４】本発明の実施形態１に係るマッサージ機の制御機能のブロック図である。
【図５】本発明の実施形態１に係るマッサージ機の通信システムを示す全体構成図である。
【図６（Ａ）】本発明の実施形態１に係るマッサージ機の表示部に示された複数の動作モードを選択する画面の一例を示す図である。
【図６（Ｂ）】本発明の実施形態１に係るマッサージ機の表示部に示された複数のマッサージコースを選択する画面の一例を示す図である。
【図７】本発明の実施形態１に係るマッサージ機の表示部に示されたイメージを選択する画面の一例を示す図である。
【図８（Ａ）】本発明の実施形態１に係るマッサージ機の表示部に示された望診の結果から複数のマッサージコースを選択する画面の一例を示す図である。
【図８（Ｂ）】手動マッサージ冶具の一例を示す図である。
【図８（Ｃ）】手動マッサージ冶具の他の例を示す図である。
【図９】本発明の実施形態１に係るマッサージ機の表示部に示された問診の質問事項を選択する画面の一例を示す図である。
【図１０】望診マッサージモードの動作の一例を示すフローチャートである。
【図１１】各身体部位とその状態及び症状とマッサージコースの関係を示した表である。
【図１２】図１１の舌の身体部位症状を示す図である。
【図１３】マッサージ機が設置される部屋の状態の一例を示す図である。
【図１４】セキュリティモードの動作の一例を示すフローチャートである。
【図１５】メイクコースのメイク手順の一例を示す図である。
【図１６】メイクコースのシーン別メイクのイメージの一例を示す図である。
【発明を実施するための形態】
【００５７】
以下、本発明の実施の形態を、図面を参照しながら説明する。なお、以下では、すべての図を通じて同一又は相当する要素には同一の参照符号を付してその重複する説明を省略する。
【００５８】
［構成］
図１は、本発明の実施形態１に係るマッサージ機のハードウエア上の構成を示す模式図である。図２は、本発明の実施形態１に係るマッサージ機の斜視図である。図３は、本発明の実施形態１に係るマッサージ機における操作装置の正面図である。図４は、本発明の実施形態１に係るマッサージ機の制御機能のブロック図である。図５は、本発明の実施形態１に係るマッサージ機の通信システムを示す全体構成図である。図６（Ａ）は本発明の実施形態１に係るマッサージ機の表示部に示された複数の動作モードを選択する画面の一例を示す図である。図６（Ｂ）は、本発明の実施形態１に係るマッサージ機の表示部に示された複数のマッサージコースを選択する画面の一例を示す図である。図７は、本発明の実施形態１に係るマッサージ機の表示部に示されたイメージを選択する画面の一例を示す図である。図８（Ａ）は、本発明の実施形態１に係るマッサージ機の表示部に示された望診の結果から複数のマッサージコースを選択する画面の一例を示す図である。図８（Ｂ）は、手動マッサージ冶具の一例を示す図である。
図８（Ｃ）は、手動マッサージ冶具の他の例を示す図である。図９は、本発明の実施形態１に係るマッサージ機の表示部に示された問診の質問事項を選択する画面の一例を示す図である。図１０は、望診マッサージモードの動作の一例を示すフローチャートである。図１１は、各身体部位とその状態及び症状とマッサージコースの関係を示した表である。図１２は、図１１の舌の身体部位症状を示す図である。図１３は、マッサージ機が設置される部屋の状態の一例を示す図である。図１４は、セキュリティモードの動作の一例を示すフローチャートである。図１５は、メイクコースのメイク手順の一例を示す図である。図１６は、メイクコースのシーン別メイクのイメージの一例を示す図である。
図１及び図２を参照すると、マッサージ機１は、使用者にマッサージを施すものである。マッサージ機１は、公知のものを用いることができ、使用者にマッサージを施すことができるものであれば、特に限定されない。マッサージ機１は、ハードウエアとして、例えば、マッサージ部２と、制御装置７と、操作装置８と、通信部１１と、を備える。
【００５９】
マッサージ部２は、座部３と、背凭れ部４と、フットレスト５とを含む。座部３は、基台１７の上に設けられる。背凭れ部４は、後方に傾いた基準姿勢を取るように設けられ、リクライニング機構Ｃ１によって、後方への傾きが変化させられるように構成されている。リクライニング機構Ｃ１としては、公知のものが使用できることはいうまでもない。
【００６０】
座部３の中央部、背凭れ部４の下方、及びフットレスト５の中央には、エアセル１５が設けられている。エアセル１５は、公知のものが採用されるのであるが、図示されない空圧機構によって駆動され、使用者の身体を押圧する。
背凭れ部４の内部は、背凭れ部４の長手方向に延びる、ガイドレール１６が設けられており、このガイドレール１６に沿って上方及び下方に移動可能にマッサージユニット１３が設けられている。マッサージユニット１３は、例えば、電動モーター（図示せず）と電動モーターの出力軸（図示せず）に直結された減速装置（図示せず）から構成され、図示されない移動機構によって駆動される。マッサージユニット１３及び駆動機構は特定のものに限定されるものではなく公知のものも利用できる。
【００６１】
マッサージユニット１３には、左右一対の施療子１３ａが設けられている（図２参照）。施療子１３ａは、この実施例では上下一対の揉み玉とされている（図１参照）。施療子１３ａは、前記駆動機構によって駆動される。施療子１３ａは、「揉み」と「叩き」の２つの動作モードを有し、後述するように制御装置７（図１参照）により、「揉み」又は「叩き」いずれかの動作モードで動作する。当該制御装置７は基台１７の内部に設けられている。
【００６２】
このように構成されたマッサージ部２は、エアセル１５よる「押圧」、施療子１３ａによる「揉み」及び「叩き」の動作を適宜組み合わせることにより所望のマッサージを使用者に施す。
支持部材１８の上端には、操作装置８が設けられている。支持部材１８の他端は基台１７の内部に導入されていて、制御装置７に接続されている。
基台１７の内部には、制御装置７及び通信部１１が設けられている。制御装置７は、公知のものを採用することができ、例えば、マイクロコントローラ、プロセッサ、論理回路等で構成される。本実施形態において制御装置７は、マイクロコントローラを採用しているが、マイクロコントローラに限定されるものではない。支持部材１８の上端には、姿勢変更機構１９を介して操作装置８が設けられている。
姿勢変更機構１９は、例えば、ユニバーサルジョイント等の互いに直交する３軸の周りに回動自在に構成されている。このように回動できるものであればユニバーサルジョイントに限られるものではない。かかる構成により、操作装置８を、任意の方向に傾けることができる。操作装置８は支持部材１８の中心軸ａｘ１の周りに回動自在であり、所望の角度位置に手動で回動させることができ、所望の回動位置で保持できる、いかなるものも採用することができる。この他公知のステッピングモータのような自動回転駆動装置も採用することができる。姿勢変更機構１９は、例えば図示されない３軸の回動機構によって駆動される。
【００６３】
図３は、図２の操作装置８の構成を示す正面図である。図３を参照すると、操作装置８は、撮像手段８１と、表示部８２と、パネル入力部８３と、操作部８４と、音声入力発生装置８５とを備える。
撮像手段８１は、例えば、操作装置８の上部の中央に設けられる。撮像手段８１は、小型のデジタルカメラで構成される。このデジタルカメラは、イメージセンサとして、例えば、ＣＣＤセンサ、ＣＭＯＳセンサ等の固体撮像素子が用いられる。
【００６４】
撮像手段８１は、支持部材１８（図１参照）が起立している（上下方向に延びている）状態において、撮像手段８１は、マッサージ部２の方向の視野に位置する使用者の身体部位をインカメラで撮像し、マッサージ部２と反対の方向の視野をアウトカメラで撮像することができる。あるいは、操作装置８を支持部材１８の上端部の中心軸の周りに回動させることにより、その向きを１８０度回動させることができる。これにより、撮像手段８１をマッサージ部２の内側に向けることにより、使用者を撮像することができ、撮像手段８１をマッサージ部２の外側に向けることにより、マッサージ機１の周囲を監視することができる（セキュリティモード参照）。このセキュリティモードにおける監視機能については、後述する。
【００６５】
表示部８２は、特に限定されないが、液晶表示パネル、有機ＥＬパネル等で構成される。また、本実施形態１では、タッチセンサーが埋め込まれ、タッチパネルが用いられるがこれに限定されない。表示部８２の下方に、タッチパネルのパネル入力部８３が配置される。
操作部８４は、マッサージ機１の電源ボタン８４ａ、緊急停止ボタン８４ｂ、背凭れ部４の傾きを調整するリクラニイングボタン８４ｃ、フットレスト５の傾きを調整するフットレストボタン８４ｄ、施療子１３ａの位置を調整する位置調整ボタン８４ｅ、動作モード選択ボタン８４ｆ、及び撮像手段８１のシャッタボタン８４ｇを含む。音声入力発生装置８５は、例えば、マイク／スピーカで構成される。
【００６６】
フラッシュ８６は、操作装置８の一方の側（ここでは、使用者から見て左側）の上面に出没可能に設けられている。フラッシュ８６が引っ込んでいる状態でフラッシュ８６の上面を押すと、フラッシュ８６が飛び出し、フラッシュ８６が飛び出している状態でフラッシュ８６の上面を押すと、フラッシュ８６が引っ込む。フラッシュ８６が飛び出した状態で撮像すると、被写体に少し斜め上方からフラッシュ光が照射されるので、撮像されたイメージ（以下、撮像イメージという）に被写体の凹凸に応じた適度の影が映る。また、フラッシュ光で撮像するので、撮像イメージの色が適切に保たれ、画像処理の精度が向上する。脈拍計８７は、操作装置８の側面から延びるアーム部材の先端に設けられている。脈拍計８７は例えば一対の板状の電極を有していて、使用者が当該一対の電極で指を挟むことによって、脈拍を計測することができるものを採用できるが、これに限られず当業者に自明のものはすべて使用することができる。計測された脈拍は、制御部４９に送られ、制御部４９によって記憶部４８に記憶されるとともに、表示部８２に表示される。
【００６７】
図４は、図１のマッサージ機１のすべての構成を示すブロック図である。図４を参照すると、マッサージ機１は、制御部４９に、マッサージ部２、通信部１１、姿勢変更機構１９、望診手段４１、問診手段４２、質問手段４３、回答手段４４、検索手段４５、選択手段４６、マッサージ指導手段４７、記憶部４８、撮像手段８１、表示部８２、パネル入力部８３、操作部８４、音声入力／発生装置８５、及び脈拍計で構成される測定手段８７が電気的に接続されている。
記憶部４８は、マイクロコントローラの内部メモリ（ＲＡＭ、ＲＯＭ）及び外部メモリ（ハードディスク等）で構成される。望診手段４１、問診手段４２、質問手段４３、回答手段４４、検索手段４５、選択手段４６、マッサージ指導手段４７及びメイク指導手段５０は、記憶部４８に格納された所定の制御プログラムを制御部４９が読み出して実行することにより実現される機能ブロックであり、実際には、制御部４９が、望診手段４１、問診手段４２、質問手段４３、回答手段４４、検索手段４５、選択手段４６、マッサージ指導手段４７、メイク指導手段５０として動作する。
【００６８】
図４及び図５を参照すると、マッサージ機１は、通信部１１によって、ネットワーク（公衆回線）２０を介して、スマートフォン、タブレット型通信装置のような外部端末２３の他、例えば、マッサージメーカのサーバ２１、セキュリティ会社２２及びパーソナルコンピュータ（ＰＣ）２４と接続される。
【００６９】
本実施形態のマッサージ機１は動作モードとして、「ヘルスケアモード」、「望診モード」、「問診モード」、「問診＋望診モード」、「ビューティーメイクモード」、「セキュリティモード」の６つのモードを有する。操作部８４の動作モード選択ボタン８４ｆを押すことによって、動作モードを切り替えることができ、表示部８２に動作モードが表示される（図６（Ａ）参照）。
＜ヘルスケアモード＞
本実施形態に係るマッサージ機１のヘルスケアモードでの動作について説明する。図３及び図４を参照すると動作モード選択ボタン８４ｆが押され、ヘルスケアモードが選択される。記憶部４８には予め複数のマッサージコースと、複数の目標とする身体部位のイメージとが互いに対応付けられて記憶されている。目標とする身体部位のイメージは、顔を例に挙げると、使用者の顔から理想の顔に補正された（導き出された）ものである。そのための補正基準は、例えば、使用者に予め年齢を登録してもらうことにより年代ごとの補正係数を設定し、撮像した顔に対してシミ、くすみ又はシワの補正を行うこと、若い人はシワ等が少ないため、補正率は予め高めに設定し、年を重ねるほど、補正率を低くすること、その他目・鼻・口の位置を測定し、各パーツの位置から理想の輪郭を判定すること、現在の顔の各パーツはそのままで、輪郭だけを拡大・縮小して、理想の顔を表示すること、顔黄金比の女性用マスクを用いて、顔のバランスが理想と現実でどれだけ離れているかチェックすること、撮像した顔の左右差をチェックすることで、どれくらい歪みがあるかを判定すること等が挙げられる。撮像手段により撮像された顔のイメージを補正基準に基づいて補正し、イメージを生成する。
図６（Ｂ）を参照すると、使用者は、選択手段４６によって、表示部８２に表示された複数のマッサージコースの中から一つを選択する。
図７及び図８（Ａ）、図８（Ｂ）、図８（Ｃ）を参照すると、複数の目標とする身体部位のイメージのうち撮像された身体部位に対応する目標とする身体部位のイメージＩｄおよび複数のマッサージコースが記憶部４８から読み出されて表示部８２に表示され、表示された目標とする身体部位のイメージＩｄが使用者の選択又は機械的選択によって選択され、選択された前記目標とする身体部位のイメージが表示部８２に表示される。この後、次の（ａ）又は（ｂ）の操作が行われる。
（ａ）使用者が表示部８２に表示された目標とする身体部位のイメージＩｄに基づいて複数のマッサージコースの中から好適なマッサージコースを表示部８２の選択手段４６によって選択し、選択された好適なマッサージコースを制御部４９に送信すると、制御部４９がマッサージコースをマッサージ部２に送信する。マッサージ部２が使用者にマッサージを行う。
（ｂ）図７を参照すると、表示部８２に表示された撮像された身体部位のイメージＣｓに基づいて、使用者の身体部位に対してマッサージすべきインストラクションＡ、Ｂ、Ｃ、Ｄを出すマッサージ指導手段４７を備え、マッサージのインストラクションＡ、Ｂ、Ｃ、Ｄに基づいて使用者自身によってマッサージを行う。
【００７０】
図８（Ａ）を参照すると、例えば、インストラクションＡは「首回り」、インストラクションＢは「こめかみ」、インストラクションＣは「おでこ」、インストラクションＤは「口角」をマッサージするようにインストラクションを与え、使用者はそのインストラクションに従い、使用者自身の手でマッサージを行う。
この使用者自身によるマッサージは、自らの手で行うマッサージに加え、図６（Ａ）を参照すると、使用者が操作装置８のパネル入力部８３の「ヘルスケアモード」ボタンを押すことで、手動マッサージ冶具を使用したマッサージコースを選択すると使用者は手動マッサージ冶具を用いて手動マッサージ冶具によるマッサージを行うことができる。例えば、図８（Ｂ）及び図８（Ｃ）に図示するような手動マッサージ冶具Ｍ１（株式会社ＭＴＧの商品「ＲｅＦａ  ＡＵＲＡ」）、Ｍ２（株式会社ＭＴＧの商品「ＲｅＦａ  ＣＡＲＡＴ」）が表示部８２に表示される。手動マッサージ冶具Ｍ１は顔面をつまみ流しマッサージを行い、手動マッサージ冶具Ｍ２は顔面を押し流しマッサージを行う。例えば、インストラクションＡ〜Ｄの表示部に表示された各インストラクションを見ながら、使用者自身で手動マッサージ冶具を使って、マッサージを行う。
【００７１】
＜望診マッサージモード＞
本実施形態に係るマッサージ機１の望診モードでの動作について説明する。図１０を参照すると、動作モード選択ボタン８４ｆ（図３参照）が押され、望診モードが選択されると（図１０のＳ１）、身体部位の撮像動作に進む（Ｓ２）。撮像手段８１は身体部位として使用者の顔、手、爪又は舌を撮像する（Ｓ３）。ついで、記憶部４８は撮像手段８１によって撮像された使用者の顔、手、爪又は舌のイメージを記憶する。記憶部４８には予め標準化された各身体部位に対する症状又は状態並びにマッサージコースの情報が記憶されている。ここで情報とは、マッサージコースにおける身体部位とその症状又は状態と所望のコースを組み合わせた情報のことをいう。望診手段４１は、撮像手段８１によって撮像された各身体部位のイメージと前述の情報とを比較して、使用者の身体の症状又は状態を特定する手段である（Ｓ４）。
記憶部４８には、この撮像データを識別データと対応させて記憶部４８に記憶されている。望診手段４１は、記憶部４８に記憶されているマッサージコースにおける身体部位とその症状又は状態と所望のコースを組み合わせた情報を参照する。制御部４９は望診手段４１による望診結果からマッサージコースを特定し（Ｓ５）、又は使用者に対して推奨し、機械的選択（Ｓ６、Ｓ７）又は使用者の選択（Ｓ８）により特定されたマッサージコースのいずれかを選択する（Ｓ９）。これにより所望のマッサージコースに基づいてマッサージ部２が使用者にマッサージを施す（Ｓ１０）。
【００７２】
図１１は、マッサージコースにおける身体部位とその症状又は状態と所望のコースを組み合わせたものを示す表である。「身体部位」は、複数の標準化された標準身体部位である。「症状」は、身体部位毎に規定された所定の複数の身体部位症状である。「特徴量」は、表中各症状の有無を判断するに際に着目すべき各身体部位の属性である。
図１１には、４つの身体部位について６つの特徴量が規定され、この６つの特徴量について１５種類の症状が規定されている。
具体的には、「顔」、「手の平」、「爪」及び「舌」の４つの身体部位が規定され、これらの「顔」、「手の平」、「爪」及び「舌」の４つの身体部位について、それぞれ、標準の身体部位の輪郭が記憶部に記憶されている。
そして、顔について、「顔色」、「吹き出物」、及び「シミ」の３つの特徴量が規定されている。「顔色」ついて、「顔色が青い」、「顔色が赤い」、及び「顔色が黄色っぽい」という３つの症状が規定されている。「吹き出物」について、「吹き出物が髪の生え際に存在する」、「吹き出物が口まわりに存在する」、「吹き出物が小鼻に存在する」という症状が規定されている。「シミ」について、「シミが顔に存在する」という症状が規定されている。
【００７３】
手について、「手の平の状態」という特徴量が規定されている。「手の平の状態」ついて、「親指の下が青〜緑っぽい」、「小指の付け根付近が紫である」、及び「５本の指を合わせた状態で指の間に隙間が多い」という３つの症状が規定されている。
爪について「爪の色」という特徴量が規定されている。「爪の色」ついて、「爪の色が赤紫である」、及び「爪の色が白い」という２つの症状が規定されている。
舌について「舌の形態」という特徴量が規定されている。
【００７４】
図１２は、舌の症状の外観を示す図である（出典：祥泉針灸整骨院ホームページ）。「舌の形態」について、例えば、「淡胖白膩苔」（図１２の（ａ））、「歯痕黄苔舌」（図１２の（ｂ））、及び「木苺舌」（図１２の（ｃ））という症状が規定されている。「淡胖白膩苔」は、「舌体が肥大して歯形（歯痕）が著明。舌苔が厚く白い」という症状である。「歯痕黄苔舌」は、「舌体が肥大して歯形（歯痕）が著明。舌苔が厚く黄色い」という症状である。「木苺舌」は、「舌が赤く、舌尖の部分が特に赤い点がはっきりと見える」という症状である（出典：祥泉針灸整骨院ホームページ）。
【００７５】
望診マッサージでは、撮像データから特定された身体部位について規定されている「特徴量」を抽出し、この抽出された「特徴量」がその対応する「症状」に相当する状態を示している場合には、被写身体部位が当該「症状」を示していると判定し、被写身体部位の症状が当該「症状」であると特定する。そうでない場合には、被写身体部位が当該「症状」を示していないと判定する。
具体的には、「特徴量」を抽出し、且つ被写身体部位の症状を特定する。  
【００７６】
＜マッサージ特定工程＞  
マッサージ特定工程では、画像処理／症状特定工程で特定（判定）された身体部位症状を、記憶部４８に記憶されたマッサージコースにおける身体部位とその症状又は状態と所望のコースを組み合わせた情報と対比し、当該身体部位症状に対応するマッサージコースを特定する。
具体的には、身体部位症状「顔色が青い」に対応する健康状態は、「肝臓、膵臓の機能障害を起こしやすい状態」である。この健康状態に対応する身体のツボは、肝兪及び膵愈である。身体部位症状「顔色が青い」に、これらのツボを刺激するマッサージコース「全身疲労回復」が対応付けられている。
【００７７】
身体部位症状「顔色が赤い」に対応する健康状態は、「心臓のトラブル、血液循環がうまくいっていない」である。この健康状態に対応する身体のツボは、心兪及び隔愈である。身体部位症状「顔色が赤い」に、これらのツボを刺激するマッサージコース「遠心」が対応付けられている。
身体部位症状「顔色が黄色っぽい」に対応する健康状態は、「胃腸の働きが落ちている、肝臓や胆嚢の不調」である。この健康状態に対応する身体のツボは、胃兪、胆愈、及び肝愈である。身体部位症状「顔色が黄色っぽい」に、これらのツボを刺激するマッサージコース「体重チャレンジ」が対応付けられている。
【００７８】
身体部位症状「吹き出物が髪の生え際に存在する」に対応する健康状態は、「膀胱の不調」である。この健康状態に対応する身体のツボは、膀胱兪である。身体部位症状「吹き出物が髪の生え際に存在する」に、これらのツボを刺激するマッサージコース「腰中心」が対応付けられている。
身体部位症状「吹き出物が口まわりに存在する」に対応する健康状態は、「胃腸の不調」である。この健康状態に対応する身体のツボは、胃兪及び大腸愈である。上述のマッサージコース「体重チャレンジ」は、上述のツボに加えて大腸愈をも刺激するので、身体部位症状「吹き出物が口まわりに存在する」に、マッサージコース「体重チャレンジ」が対応付けられている。
身体部位症状「吹き出物が小鼻に存在する」に対応する健康状態は、「呼吸器系の不調」である。この健康状態に対応する身体のツボは、肺兪である。身体部位症状「吹き出物が小鼻に存在する」に、このツボを刺激するマッサージコース「ストレス解消」が対応付けられている。
【００７９】
身体部位症状「シミが顔に存在する」に対応する健康状態は、「肝臓の不調、ストレス」である。この健康状態に対応する身体のツボは、心兪及び肝兪である。上述のマッサージコース「ストレス解消」は、上述のツボに加えて心兪及び肝兪をも刺激するので、身体部位症状「シミが顔に存在する」に、マッサージコース「ストレス解消」が対応付けられている。
【００８０】
身体部位症状「親指の下が青〜緑っぽい」に対応する健康状態は、「腸がゆるんでいる、冷えの状態」である。この健康状態に対応する身体のツボは、小腸兪である。上述のマッサージコース「遠心」は、上述のツボに加えて小腸兪をも刺激するので、身体部位症状「親指の下が青〜緑っぽい」に、マッサージコース「遠心」が対応付けられている。
身体部位症状「小指の付け根付近が紫である」に対応する健康状態は、「循環と排泄機能に異常がある」である。この健康状態に対応する身体のツボは、大腸愈、小腸兪である。上述のマッサージコース「遠心」は、上述のツボに加えて大腸兪をも刺激するので、身体部位症状「小指の付け根付近が紫である」に、マッサージコース「遠心」が対応付けられている。
身体部位症状「５本の指を合わせる際に指の間に隙間が多い」に対応する健康状態は、「胃腸機能が弱い」である。この健康状態に対応する身体のツボは、胃兪、大腸愈であるので、身体部位症状「５本の指を合わせた状態で指の間に隙間が多い」に、胃兪、大腸愈を刺激するマッサージコース「体重チャレンジ」が対応付けられている。
【００８１】
身体部位症状「爪の色が赤紫である」に対応する健康状態は、「砂糖や甘いものの摂りすぎ、消化、循環、排泄機能に異常」である。この健康状態に対応する身体のツボは、膵愈、脾兪である。上述のマッサージコース「体重チャレンジ」は、膵愈、脾兪をも刺激するので、身体部位症状「爪の色が赤紫である」に、マッサージコース「体重チャレンジ」が対応付けられている。
身体部位症状「爪の色が白い」に対応する健康状態は、「血液の循環が悪い、貧血、ジュース、砂糖などの甘いものの摂りすぎ」である。この健康状態に対応する身体のツボは、隔兪、膵愈、脾兪である。上述のマッサージコース「遠心」は、上述のツボに加えて膵愈、脾兪をも刺激するので、身体部位症状「爪の色が白い」に、マッサージコース「遠心」が対応付けられている。
【００８２】
身体部位症状「淡胖白膩苔」に対応する健康状態は、「冷たい飲食物の摂りすぎにより、体内に過剰な水が溜まり、食欲不振、下痢、足腰が重だるい、疲れやすいなどの症状が現れる」である。この健康状態に対応する身体のツボは、心兪、腎兪、膀胱愈、小腸兪、肝兪である。マッサージコース「求心」又は「活力アップ」は、これらのツボを刺激するので、身体部位症状「淡胖白膩苔」に、マッサージコース「求心」又は「活力アップ」が対応付けられている。
身体部位症状「歯痕黄苔舌」に対応する健康状態は、「暴飲暴食などによる消化器系の湿熱、慢性胃炎、脂肪肝、アレルギー性疾患などによく見られる。胸やけ、便秘、口の中が粘る、口臭があるなどの症状が現れる」である。この健康状態に対応する身体のツボは、胃兪、肺兪、脾兪である。上述のマッサージコース「全身疲労回復」又は「体重チャレンジ」は、これらのツボを刺激するので、身体部位症状「歯痕黄苔舌」に、マッサージコース「全身疲労回復」又は「体重チャレンジ」が対応付けられている。
身体部位症状「木苺舌」に対応する健康状態は、「不安神経症、不眠症などの精神的な疾患に多く見られる。特に女性では、自律神経失調症、更年期障害などの場合もある。」である。この健康状態に対応する身体のツボは、心兪、失眠、天柱、風池である。上述のマッサージコース「ストレス解消」又は「遠心」は、これらのツボを刺激するので、身体部位症状「木苺舌」に、マッサージコース「ストレス解消」又は「遠心」が対応付けられている。
【００８３】
以上に説明したツボを刺激するマッサージの内容は、多数考えられるので、実験、経験等により適宜規定される。また、予め規定された上述のマッサージコースの他、身体部位症状に合わせて、その都度、適宜なマッサージを作成してもよい。
望診手段は、特定された身体部位症状を、以上のようなマッサージコースにおける身体部位とその症状又は状態と所望のコースを組み合わせた情報とを対比し、当該身体部位症状に対応するマッサージコースを特定する。
【００８４】
＜問診モード＞
本実施形態に係るマッサージ機１の問診モードでの動作について説明する。図９を参照すると表示部８２は使用者の自覚症状を確認するため撮像された使用者の身体部位のイメージＣｓと質問手段４３がいくつかの質問事項Ｑ（例えば図示されているような「質問１  体調が良い」）を表示する。使用者が表示された質問事項Ｑについて回答手段４４として回答ボタンＡ１、Ａ２を押すことで回答すると、問診手段４２が回答に対応する問診結果を表示部８２に表示する。検索手段４５は、問診結果と記憶部に記憶されている予め標準化された各身体部位に対する症状又は状態並びにマッサージコースの情報とを比較して、使用者の身体部位の状態を検索する。検索手段４５は、予め標準化された各身体部位に対する症状又は状態並びにマッサージコースの情報と問診結果から使用者に最適なマッサージコースを選定し、表示部８２に表示して使用者に提案する。あるいは使用者がコース選択ボタンＳＬを押すことでマッサージコースを選択することができる。尚、問診モード中動きを途中で終了させることも可能であり、それは使用者が終了ボタンＥを押すことで終了させることができる。例えば使用者の目の下にクマがある場合、クマの原因を問診によって導き出す。質問事項Ｑの「冷え性ですか」が選択されると症状が青クマ、「スマートフォン又はパーソナルコンピュータを長時間みていませんか」が選択されると、症状が青クマ又は黒クマと判断される。その結果、原因が血行不良と判断され、遠心コースが表示部８２に表示して提案される。
質問事項Ｑの「夜、眠れていますか」が選択されると、症状が青クマ若しくは黒クマ、睡眠不足が原因と判断され、眠りを誘うコースが提案される。
【００８５】
＜望診＋問診モード＞
本実施形態に係るマッサージ機１の望診＋問診モードでの動作について説明する。図３を参照すると動作モード選択ボタン８４ｆを押して、望診＋問診モードを選択すると、身体部位の撮像動作に進む。例えば、撮像手段８１が使用者の顔を撮像すると、記憶部４８は撮像手段８１によって撮像された使用者の顔のイメージを記憶する。記憶部４８には予め標準化された顔の症状又は状態並びにマッサージコースの情報が記憶されている。ここで情報とは、マッサージコースにおける身体部位とその症状又は状態と所望のコースを組み合わせた情報のことをいう。望診手段４１は、撮像手段８１によって撮像された顔のイメージと前述の情報とを比較して、使用者の身体の症状又は状態を特定する。
望診の結果、使用者の顔の症状又は状態が判明すると、表示部８２には使用者の自覚症状を確認するため撮像された使用者の顔のイメージと質問手段４３によっていくつかの質問事項Ｑが表示される。使用者が表示された質問事項Ｑについて回答手段４４として回答ボタンＡ１、Ａ２を押すことで回答すると、問診手段４２によって問診結果が表示部８２に表示される。検索手段４５は、問診結果と記憶部に記憶されている予め標準化された各身体部位に対する症状又は状態並びにマッサージコースの情報とを比較して、使用者の身体部位の状態を検索する。制御部４９は、望診結果と問診結果から使用者の症状又は状態を識別し使用者に最適なマッサージコースを選定し、表示部８２に表示して使用者に提案する。
【００８６】
＜望診＋測定結果＞
図６（Ｂ）を参照すると、撮像手段８１は、身体部位として使用者の顔、手、爪又は舌を撮像する。ついで、記憶部４８は撮像手段８１によって撮像された使用者の顔、手、爪又は舌のイメージを記憶する。記憶部４８には予め標準化された各身体部位に対する症状又は状態並びにマッサージコースの情報が記憶されている。ここで情報とは、マッサージコースにおける身体部位とその症状又は状態と所望のコースを組み合わせた情報のことをいう。望診手段４１は、撮像手段８１によって撮像された各身体部位のイメージと前述の情報とを比較して、使用者の身体の症状又は状態を特定する手段である。
図４を参照すると、記憶部４８には、この撮像データを識別データと対応させて記憶している。望診手段４１は、記憶部４８に記憶されているマッサージコースにおける身体部位とその症状又は状態と所望のコースを組み合わせた情報を参照する。ここで、脈拍計８７で使用者の身体部位を測定した場合、測定した身体情報と、望診結果とを組み合わせた最適なマッサージコースを制御部４９が表示部８２に表示して使用者に推奨する。
なお、マッサージ機１が脈拍計８７に替えて、血圧計又は体重計を備えてもよく、あるいは、別体の脈拍計８７、血圧計又は体重計を電気的に有線又は無線で接続してもよい。血圧、体重及び脈拍がそれぞれ血圧計、体重計及び脈拍計８７によって測定されると、その各測定データは、記憶部４８に記憶される。尚、血圧、体重及び脈拍を測定する装置をすべて具備する必要はなく、それらのうち、少なくとも１つを備えていればよい。このように、血圧計、体重計及び脈拍計８７のうち少なくとも１つを備えていれば、マッサージ治療の使用前後にそれらの装置を用いて、血圧、体重及び脈拍を測定しておくことによって、使用者がマッサージの効果を確認することができる。また、血圧計、体重計及び脈拍計８７のうち少なくとも１つで使用者の身体部位を測定した場合、測定した身体情報と、望診結果とを組み合わせることにより、最適なマッサージコースを制御部４９が表示部８２に表示して使用者に推奨することができる。さらにこの３つのうちの２つ以上を組み合わせてもよい。
【００８７】
＜ビューティーメイクモード＞
本実施形態に係るマッサージ機１のビューティーメイクモードでの動作について説明する。図１５及び図１６を参照すると、選択ボタン８４ｆ（図３参照）を押して、ビューティーメイクモードを選択すると、身体部位の撮像動作に進む。撮像手段８１は使用者の顔を撮像する。ついで、記憶部４８は撮像手段８１によって撮像された使用者の顔のイメージを記憶する。記憶部４８には、予め複数のメイクコースと複数のインストラクションが互いに対応付けられて記憶されており、以下の（ａ）又は（ｂ）の操作が行われる。
（ａ）制御部４９が撮像された使用者の顔のイメージに基づいてメイクコースを行った場合の使用者の顔のイメージ（Ｉｍ（１２）〜Ｉｍ（１４））を複数作成する。この複数作成された使用者の顔のイメージ（Ｉｍ（１２）〜Ｉｍ（１４））は表示部８２に表示される。これらの複数の顔のイメージ（Ｉｍ（１２）〜Ｉｍ（１４））は、それぞれ、複数のメイクコースと対応付けられていて、表示部８２に表示される。なお、参照符号Ｉｍ（１１）は、撮像された顔のイメージを示す。使用者は表示部８２に表示された顔のイメージＩｍ（１２）、顔のイメージＩｍ（１３）及び顔のイメージＩｍ（１４）のいずれかを、タッチすることによって選択する。従って、複数の顔のイメージ（Ｉｍ（１２）〜Ｉｍ（１４））は、選択手段４６を構成する。これにより、選択された顔のイメージに対応するメイクコースが選択される。すると、メイク指導手段５０が、この選択されたメイクコースについて、その対応するインストラクションを表示部８２に表示する。使用者は、表示部８２に表示されたインストラクションに基づいて自らがメイクを行う。具体的には、例えば、図１５に示されるように初期状態（メイク直前の状態）Ｉｍ（１）、目のメイクＩｍ（２）、頬のメイクＩｍ（３）、唇のメイクＩｍ（４）のようにメイクの方法、順番等が表示部８２に表示される。この表示に従って、使用者がメイクを行う。
従って、使用者は、自分の顔を所望のイメージにするのに好適なメイクコースを選択することができる。しかも、そのメイクコースをインストラクションに従って好適に行うことができ、且つ、家庭でも容易に行うことができる。
（ｂ）制御部４９が撮像された使用者の顔のイメージから目標とするイメージを作成し、作成された目標とするイメージに基づいてメイクコースを行った場合の使用者の顔のイメージ（Ｉｍ（１２）〜Ｉｍ（１４））を複数作成する。この複数作成された使用者の顔のイメージ（Ｉｍ（１２）〜Ｉｍ（１４））は表示部８２に表示される。これらの複数の顔のイメージ（Ｉｍ（１２）〜Ｉｍ（１４））は、それぞれ、複数のメイクコースと対応付けられていて、表示部８２に表示される。なお、参照符号Ｉｍ（１１）は、撮像された顔のイメージを示す。使用者は表示部８２に表示された顔のイメージＩｍ（１２）、顔のイメージＩｍ（１３）及び顔のイメージＩｍ（１４）のいずれかを、タッチすることによって選択する。従って、複数の顔のイメージ（Ｉｍ（１２）〜Ｉｍ（１４））は、選択手段４６を構成する。これにより、選択された顔のイメージに対応するメイクコースが選択される。すると、メイク指導手段５０が、この選択されたメイクコースについて、その対応するインストラクションを表示部８２に表示する。使用者は、表示部８２に表示されたインストラクションに基づいて使用者自身がメイクを行う。具体的には、例えば、目のメイクＩｍ（２）、頬のメイクＩｍ（３）、唇のメイクＩｍ（４）のようにメイクの方法、順番等が表示部８２に表示される。この表示に従って、使用者がメイクを行う。
従って、使用者は、目標とする顔のイメージ、すなわち、本来の自分の顔を認識し、その上で、自分の顔を所望のイメージにするのに好適なメイクコースを選択するので、より好適に、自分の顔を所望のイメージにすることができる。しかも、そのメイクコースをインストラクションに従って好適に行うことができ、且つ、家庭でも容易に行うことができる。
【００８８】
＜セキュリティモード＞
本実施形態に係るマッサージ機１のセキュリティモードでの動作について説明する。図４及び図５を参照すると、マッサージ機１はネットワーク（公衆回線）２０を介してセキュリティ会社２２又は外部端末２３と通信可能な通信部１１を備え、図３及び図１３を参照すると撮像手段８１は、マッサージ部２の方向（内側）と、当該マッサージ部２と反対方向（外側）とを向くように回動自在にマッサージ部２に設けられており、操作装置８の表示部８２を部屋ＲのドアＤの方に向けられる。なお、撮像手段８１をインカメラとアウトカメラとで構成し、マッサージ部２の方向の視野をインカメラで撮像し、マッサージ部２と反対の方向の視野をアウトカメラで撮像してもよい。
図３及び図１４を参照すると、操作装置８の動作モード選択ボタン８４ｆが押すことにより、「セキュリティモード」に切り替わる（図１４のＳ１１１）。セキュリティモードに切り替わると、撮像手段としてのカメラ８１を備えた操作装置８が姿勢変更機構１９を介して回動し、カメラ８１が外側（マッサージ部２と反対方向）を向く（Ｓ１１２）。ここで、操作装置８は姿勢変更機構１９を介してカメラ８１を外側に固定してもよく、一定範囲を回動し続けても又は一定時間ごとに撮像する方向を変えてもよい。制御部４９は、逐次撮像される画像（動画）をリアルタイムで画像処理し、画像中に移動物体が存在するか否か判定する。動画中の移動物体の検知方法は、公知の方法を用いることができる。例えば、画面中のあるまとまった部分（ブロック）が、連続する画面において、残りの部分に対し相対的に移動する場合に、当該まとまった部分を移動物体として検知することができる。制御部４９が移動物体を検知すると（Ｓ１１３）、通信部１１にその情報が送信され（Ｓ１１４）、通信部１１からネットワーク２０を介してセキュリティ会社２２又は外部端末２３にその情報が送信される（Ｓ１１５）。
【産業上の利用可能性】
【００８９】
本発明は、従来技術の問題点を解消し、撮像手段により撮像された使用者の施術前の身体部位のイメージと、目標とすべき身体部位のイメージを表示部に表示して比較し、比較した結果からマッサージ機による最適なマッサージコースを使用者が選択又は機械的選択により選択し、選択されたマッサージを使用者に施すこと、あるいはマッサージ機による機械的なマッサージに加え、使用者自身の手により最適なマッサージを表示部に表示されたインストラクションに従って実施することができるので、産業上広く利用可能である。
【符号の説明】
【００９０】
１  マッサージ機
２  マッサージ部
３  座部
４  背凭れ部
５  フットレスト
７  制御装置
８  操作装置
１１  通信部
１３  マッサージユニット
１３ａ  施療子
１４  バイブレータ
１５  エアセル
１６  ガイドレール
１７  基台
１８  支持部材
１９  姿勢変更機構
２０  ネットワーク      
２１  サーバ
２２  セキュリティ会社
２３  外部端末
２４  パーソナルコンピュータ
４１  望診手段
４２  問診手段
４３  質問手段
４４  回答手段
４５  検索手段
４６  選択手段
４７  マッサージ指導手段
４８  記憶部
４９  制御部
５０  メイク指導手段
８１  撮像手段
８２  表示部
８３  パネル入力部
８４  操作部
８４ａ  電源ボタン
８４ｂ  緊急停止ボタン
８４ｃ  リクライニングボタン
８４ｄ  フットレストボタン
８４ｅ  位置調整ボタン
８４ｆ  動作モード選択ボタン
８４ｇ  シャッタボタン
８５  音声入力発生装置
８６  フラッシュ
８７  測定手段（脈拍計）
Ａ、Ｂ、Ｃ、Ｄ  インストラクション
ａｘ１  支持部材の中心軸
Ｃ１  リクライニング機構
Ｉｄ  目標とする身体部位のイメージ
Ｃｓ  撮像された使用者の身体部位のイメージ
Ａ１、Ａ２  回答ボタン
Ｅ    終了ボタン
Ｑ    質問事項      
ＳＬ  コース選択ボタン
Ｉｍ（１）初期状態
Ｉｍ（２）目のメイク後
Ｉｍ（３）頬のメイク中
Ｉｍ（４）唇のメイク中
Ｉｍ（１１）初期状態
Ｉｍ（１２）シーン１
Ｉｍ（１３）シーン２
Ｉｍ（１４）シーン３
【図１】
2018149096.tif 000003
【図２】
2018149096.tif 000004
【図３】
2018149096.tif 000005
【図４】
2018149096.tif 000006
【図５】
2018149096.tif 000007
【図６（Ａ）】
2018149096.tif 000008
【図６（Ｂ）】
2018149096.tif 000009
【図７】
2018149096.tif 000010
【図８（Ａ）】
2018149096.tif 000011
【図８（Ｂ）】
2018149096.tif 000012
【図８（Ｃ）】
2018149096.tif 000013
【図９】
2018149096.tif 000014
【図１０】
2018149096.tif 000015
【図１１】
2018149096.tif 000016
【図１２】
2018149096.tif 000017
【図１３】
2018149096.tif 000018
【図１４】
2018149096.tif 000019
【図１５】
2018149096.tif 000020
【図１６】
2018149096.tif 000021